(57)【要約】【課題】電子メールに添付された画像データを待受画像に設定する場合において、設定操作に要するユーザの労力を軽減する。【解決手段】電子メールのヘッダ部の所定の項目または該項目の値を条件記憶部５０１に予め登録しておき、画像データが添付された電子メールが受信された場合に、該電子メールの所定の項目または該項目の値が、条件記憶部５０１に登録された所定の項目または該項目の値と一致するか否かを条件判定部５０２により判定する。そして、電子メールの所定の項目または該項目の値が、条件記憶部５０１に記憶された所定の項目または該項目の値と一致する場合、該電子メールに添付された画像データを画像データ記憶処理部５０３により所定の記憶領域５０４に記憶するとともに、該画像データを待受画像設定部５０５により待受画像として設定する。【選択図】図１
2010283470.tif 000002
【特許請求の範囲】
【請求項１】
電子メールのヘッダ部の所定の項目または該項目の値を記憶する条件記憶部と、
画像データが添付された電子メールが受信された場合、該電子メールの所定の項目または該項目の値が、前記条件記憶部に記憶された所定の項目または該項目の値と一致するか否かを判定する条件判定部と、
前記条件判定部により、前記受信された電子メールの所定の項目または該項目の値が、前記条件記憶部に記憶された所定の項目または該項目の値と一致すると判定された場合、該電子メールに添付された画像データを所定の記憶領域に記憶する画像データ記憶処理部と、
前記画像データ記憶処理部により前記所定の記憶領域に記憶された画像データを、待ち受け時に所定の表示部に表示される待受画像として設定する待受画像設定部と
を備えたことを特徴とする携帯端末装置。
【請求項２】
前記待受画像設定部は、前記所定の記憶領域に複数の画像データが記憶されている場合、待受画面が表示される操作が行われる毎に、待受画像として現在設定されている画像データに代えて、前記所定の記憶領域に記憶された他の画像データを待受画像として設定することを特徴とする請求項１に記載の携帯端末装置。
【請求項３】
前記待受画像設定部は、待受画像として設定された画像データが前記所定の表示部に少なくとも１回表示された後、待受画面が表示される操作が行われる毎に、待受画像として現在設定されている画像データに代えて、前記所定の記憶領域に記憶された他の画像データを待受画像として設定することを特徴とする請求項２に記載の携帯端末装置。
【請求項４】
電子メールに添付された画像データの画像サイズが、所定のサイズ以上であるか否かを判定する画像サイズ判定部をさらに備え、
前記画像データ記憶処理部は、電子メールに添付された画像データの画像サイズが、前記所定のサイズ以上であると前記画像サイズ判定部により判定された場合に、該画像データを所定の記憶領域に記憶する
ことを特徴とする請求項１〜３の何れか１項に記載の携帯端末装置。
【請求項５】
前記条件記憶部は、電子メールのヘッダ部の所定の項目または該項目の値として、電子メールの送信元メールアドレスの値とタイトルの値のいずれか一方を記憶することを特徴とする請求項１〜４のいずれか１項に記載の携帯端末装置。
【請求項６】
前記条件記憶部は、電子メールのヘッダ部の所定の項目または該項目の値として、電子メールの送信元メールアドレスの値とタイトルの値との組合せを記憶することを特徴とする請求項１〜４のいずれか１項に記載の携帯端末装置。
【請求項７】
画像データが添付された電子メールが受信された場合、該電子メールの所定の項目または該項目の値が、電子メールのヘッダ部の所定の項目または該項目の値を記憶する条件記憶部に記憶された所定の項目または該項目の値と一致するか否かを判定する条件判定ステップと、
前記条件判定ステップにおいて、受信された電子メールの所定の項目または該項目の値が前記条件記憶部に記憶された所定の項目または該項目の値と一致すると判定した場合、該電子メールに添付された画像データを所定の記憶領域に記憶する画像データ記憶処理ステップと、
前記画像データ記憶処理ステップにおいて前記所定の記憶領域に記憶された画像データを、待ち受け時に所定の表示部に表示される待受画像として設定する待受画像設定ステップと
を含んだことを特徴とする待受画像切替方法。
【請求項８】
画像データが添付された電子メールが受信された場合、該電子メールの所定の項目または該項目の値が、電子メールのヘッダ部の所定の項目または該項目の値を記憶する条件記憶部に記憶された所定の項目または該項目の値と一致するか否かを判定する条件判定手順と、
前記条件判定手順により、受信された電子メールの所定の項目または該項目の値が前記条件記憶部に記憶された所定の項目または該項目の値と一致すると判定された場合、該電子メールに添付された画像データを所定の記憶領域に記憶する画像データ記憶処理手順と、
前記画像データ記憶処理手順により前記所定の記憶領域に記憶された画像データを、待ち受け時に所定の表示部に表示される待受画像として設定する待受画像設定手順と
を携帯端末装置に実行させることを特徴とする待受画像切替プログラム。
【発明の詳細な説明】
【技術分野】
【０００１】
本発明は、携帯端末装置、待受画像切替方法および待受画像切替プログラムに関する。
【背景技術】
【０００２】
従来、携帯電話機などの携帯端末装置では、装置内に保存されている画像データを待受画像として利用することができる。
【０００３】
このような機能を用いて待受け時の画面を自分好みに設定することは、携帯端末装置のユーザの間で広く行われており、待受画像に関するサービスも各種提供されている。例えば、ＰＣ(Personal Computer)に保存された画像データやＷＥＢサイトに掲載された画像データを待受画像として使用できるように、これら画像データのサイズや画像形式、色数等を自動変換して携帯端末装置にダウンロードさせるサービスが知られている。
【０００４】
一方、携帯端末装置では、画像データが添付された電子メールを受信する場合があり、ユーザは、かかる画像データを待受画像として利用することもできる。
【先行技術文献】
【特許文献】
【０００５】
【特許文献１】特開２００１−３１２４５２号公報
【発明の概要】
【発明が解決しようとする課題】
【０００６】
しかしながら、電子メールに添付された画像データを待受画像として使用するためには、ユーザによる複数の操作が必要となる場合があり、煩雑であった。
【０００７】
具体的には、ユーザは、先ず、画像データが添付された電子メールを選択して、選択した画像データを携帯端末装置の所定のフォルダに保存する。そして、ユーザは、所定のフォルダの中から該当する画像データを選択して、選択した画像データを待受画像として設定する。このような一連の操作は、特に、高齢者などの携帯端末装置の操作に不慣れなユーザにとっては、非常に困難となる場合がある。
【０００８】
開示の技術は、上記に鑑みてなされたものであって、電子メールに添付された画像データを待受画像に設定する場合において、設定操作に要するユーザの労力を軽減することのできる携帯端末装置、待受画像切替方法および待受画像切替プログラムを提供することを目的とする。
【課題を解決するための手段】
【０００９】
本願の開示する携帯端末装置は、一つの態様において、電子メールのヘッダ部の所定の項目または該項目の値を記憶する条件記憶部と、画像データが添付された電子メールが受信された場合、該電子メールの所定の項目または該項目の値が、前記条件記憶部に記憶された所定の項目または該項目の値と一致するか否かを判定する条件判定部と、前記条件判定部により、前記受信された電子メールの所定の項目または該項目の値が、前記条件記憶部に記憶された所定の項目または該項目の値と一致すると判定された場合、該電子メールに添付された画像データを所定の記憶領域に記憶する画像データ記憶処理部と、前記画像データ記憶処理部により前記所定の記憶領域に記憶された画像データを、待ち受け時に所定の表示部に表示される待受画像として設定する待受画像設定部とを備える。
【発明の効果】
【００１０】
本願の開示する携帯端末装置、待受画像切替方法および待受画像切替プログラムの一つの態様によれば、電子メールに添付された画像データを待受画像に設定する場合において、設定操作に要するユーザの労力を軽減することができるという効果を奏する。
【図面の簡単な説明】
【００１１】
【図１】図１は、実施例１にかかる携帯端末装置の構成を示すブロック図である。
【図２】図２は、実施例２にかかる待受画像切替方法を説明するための図である。
【図３】図３は、実施例２にかかる携帯端末装置の構成を示すブロック図である。
【図４−１】図４−１は、条件設定画面の一例を示す図である。
【図４−２】図４−２は、送信元アドレスを設定する場合に表示される画面の一例を示す図である。
【図４−３】図４−３は、タイトルを設定する場合に表示される画面の一例を示す図である。
【図４−４】図４−４は、送信元アドレスおよびタイトルの設定後に表示される画面の一例を示す図である。
【図４−５】図４−５は、待受画像切替条件の設定が完了した場合に表示される画面の一例を示す図である。
【図５】図５は、実施例２にかかる制御部の処理手順を示すフローチャートである。
【図６】図６は、実施例３にかかる携帯端末装置の構成を示すブロック図である。
【図７】図７は、実施例３にかかる制御部の処理手順を示すフローチャートである。
【図８】図８は、実施例４にかかる携帯端末装置の構成を示すブロック図である。
【図９】図９は、実施例４にかかる制御部の処理手順を示すフローチャートである。
【図１０】図１０は、待受画像切替プログラムを実行する携帯端末装置を示すブロック図である。
【発明を実施するための形態】
【００１２】
以下に、本願の開示する携帯端末装置、待受画像切替方法および待受画像切替プログラムの実施例を図面に基づいて詳細に説明する。なお、この実施例によりこの発明が限定されるものではない。
【実施例１】
【００１３】
図１は、実施例１にかかる携帯端末装置の構成を示すブロック図である。図１に示すように、本実施例にかかる携帯端末装置５００は、条件記憶部５０１と、条件判定部５０２と、画像データ記憶処理部５０３と、所定の記憶領域５０４と、待受画像設定部５０５と、表示部５０６とを備える。
【００１４】
条件記憶部５０１は、電子メールのヘッダ部の所定の項目または該項目の値を記憶する。ここで、「ヘッダ部の所定の項目」とは、送信先のメールアドレスや送信元のメールアドレス、送信日、タイトルなど、ヘッダ部に通常含まれる項目、及び、本実施例にかかる待受画像切替方法の対象となる電子メールであることを特定するための任意の項目を示す。また、「項目の値」とは、これら項目の内容を示す。すなわち、条件記憶部５０１には、例えば、待受画像切替方法の対象となる電子メールであることを特定するための任意の項目が記憶されてもよいし、送信元のメールアドレスの値が記憶されていてもよいし、送信元のメールアドレスの値とタイトルの値との組合せが記憶されていてもよい。
【００１５】
条件判定部５０２は、画像データが添付された電子メールが受信された場合、該電子メールの所定の項目または該項目の値が、条件記憶部５０１に記憶された所定の項目または該項目の値と一致するか否かを判定する。例えば、条件記憶部５０１に送信元メールアドレスの値とタイトルの値との組合せが記憶されているとする。かかる場合、条件判定部５０２は、受信した電子メールの送信元メールアドレスの値とタイトルの値との組合せが、条件記憶部５０１に記憶された送信元メールアドレスの値とタイトルの値との組合せと一致するか否かを判定する。
【００１６】
画像データ記憶処理部５０３は、受信された電子メールの所定の項目または該項目の値が、条件記憶部５０１に記憶された所定の項目または該項目の値と一致すると条件判定部５０２により判定された場合に、該電子メールに添付された画像データを所定の記憶領域５０４に記憶する。そして、待受画像設定部５０５は、画像データ記憶処理部５０３により所定の記憶領域５０４に記憶された画像データを、待ち受け時に所定の表示部５０６に表示される待受画像として設定する。
【００１７】
すなわち、携帯端末装置５００は、画像データが添付された電子メールを受信すると、該電子メールのヘッダ部の所定の項目または該項目の値が、条件記憶部５０１に記憶された所定の項目または該項目の値と一致するか否かを判定する。そして、携帯端末装置５００は、受信された電子メールの所定の項目または該項目の値が、条件記憶部５０１に記憶された所定の項目または該項目の値と一致する場合、該電子メールに添付された画像データを所定の記憶領域５０４に記憶するとともに待受画像として設定する。
【００１８】
このように、本実施例にかかる携帯端末装置５００は、条件記憶部５０１に記憶された条件に合致する電子メールを受信した場合に、該電子メールに添付された画像データの保存および待受画像への設定を自動的に行う。これにより、携帯端末装置５００のユーザは、電子メールの選択、該電子メールに添付された画像データの保存および画像データの待受画像への設定といった複数の操作を行うことなく、電子メールに添付された画像データを待受画像として設定することができる。
【００１９】
上述してきたように、本実施例によれば、電子メールに添付された画像データを待受画像に設定する場合において、設定操作に要するユーザの労力を軽減することができるという効果を奏する。
【実施例２】
【００２０】
次に、実施例２にかかる携帯端末装置、待受画像切替方法および待受画像切替プログラムについて説明する。先ず、本実施例にかかる待受画像切替方法について説明する。図２は、本実施例にかかる待受画像切替方法を説明するための図である。なお、以下では、条件記憶部に記憶される情報の一例として、電子メールの送信元のメールアドレスの値とタイトルの値との組合せを用いた場合について説明する。ただし、これに限ったものではなく、条件記憶部には、例えば、送信元のメールアドレスの値とタイトルの値のいずれか一方が記憶されていてもよい。また、条件記憶部には、本実施例にかかる待受画像切替方法の対象となる電子メールであることを特定するために電子メールのヘッダ部に付加される任意の項目が記憶されていてもよい。
【００２１】
図２に示すように、本実施例にかかる携帯端末装置１は、ＰＣ（Personal Computer）や他の携帯端末装置から所定の条件と合致する電子メールを受信した場合、該電子メールに添付された画像データの保存および待受画像への設定を自動的に行う。なお、以下において、携帯端末装置１に対して電子メールを送信する装置を「送信元装置」という。
【００２２】
具体的には、携帯端末装置１のユーザは、所定の条件として、電子メールの送信元のメールアドレス（以下、「送信元アドレス」という）の値とタイトルの値との組合せを図示しない条件記憶部に予め登録しておく。例えば、ユーザは、送信元アドレス「syasintate@xxx.co.jp」とタイトル「写真立てサービス」との組合せを予め登録しておく。なお、以下において、かかる所定の条件を「待受画像切替条件」という。
【００２３】
続いて、送信元装置は、待受画像切替条件に合致する電子メールを携帯端末装置１へ送信する。例えば、送信元アドレス「syasintate@xxx.co.jp」を有する送信元装置の使用者は、タイトルを「写真立てサービス」とした電子メールに「画像Ａ」の画像データを添付して、携帯端末装置１に送信する。
【００２４】
ここで、送信元装置の使用者は、例えば、待受画像用の画像データを配信するサービスの提供者や携帯端末装置１のユーザの知人等である。そして、送信元装置の使用者と携帯端末装置１のユーザとの間では、待受画像切替条件の合意が事前に取れているものとする。すなわち、送信元装置の使用者が画像データ配信サービスの提供者である場合には、使用者は、携帯端末装置１のユーザが該サービスに加入する際に、該使用者が予め定められた待受画像切替条件を該ユーザに対して通知する。また、送信元装置の使用者が携帯端末装置１のユーザの知人である場合には、任意の待受画像切替条件を双方の話し合い等により取り決める。このようにすることで、送信元装置の使用者と携帯端末装置１のユーザとの間で待受画像切替条件の合意を取ることができる。
【００２５】
続いて、携帯端末装置１は、画像データが添付された電子メールを受信すると、受信した電子メールが待受画像切替条件と合致する電子メールであるか否かを判定する。具体的には、携帯端末装置１は、受信した電子メールの送信元アドレスの値とタイトルの値との組合せが、予め登録されている送信元アドレスの値とタイトルの値との組合せと一致するか否かを判定する。
【００２６】
かかる処理において、受信した電子メールの送信元アドレスの値とタイトルの値との組合せが予め登録されている場合、携帯端末装置１は、該電子メールに添付された画像データを所定の記憶領域に記憶する。例えば、受信した電子メールの送信元アドレスが「syasintate@xxx.co.jp」であり、タイトルが「写真立てサービス」である場合、携帯端末装置１は、該電子メールに添付された「画像Ａ」の画像データを所定の記憶領域に記憶する。
【００２７】
そして、携帯端末装置１は、所定の記憶領域に記憶された画像データを待受画像として設定する。待受画像とは、携帯端末装置１の待ち受け時に所定の表示部に表示される画像である。これにより、携帯端末装置１の表示部には、待受け時において「画像Ａ」が待受画像として表示される。
【００２８】
このように、携帯端末装置１は、画像データが添付された電子メールを受信した場合において、該電子メールの送信元アドレスの値とタイトルの値との組合せが予め登録されている場合には、該電子メールに添付された画像データの保存および待受画像への設定を自動的に行う。これにより、電子メールに添付された画像データを待受画像に設定する場合におけるユーザの労力を軽減することができる。
【００２９】
次に、本実施例にかかる携帯端末装置１の構成について説明する。図３は、本実施例にかかる携帯端末装置の構成を示すブロック図である。本実施例にかかる携帯端末装置１は、例えば、携帯電話、ＰＨＳ(Personal Handyphone System)、ＰＤＡ(Personal Digital Assistant)、通信機能を備えた携帯型パーソナルコンピュータなどに相当する。なお、以下では、本実施例に密接に関連する箇所を中心に説明する。また、その他の箇所については、従来の携帯端末装置と同様であるため、その説明を省略または簡潔に行う。
【００３０】
図３に示すように、携帯端末装置１は、無線部１１と、操作部１２と、カメラ１３と、マイク１４と、スピーカ１５と、ＬＣＤ（Liquid Crystal Display）１６とを備える。また、携帯端末装置１は、入出力制御ＩＦ部２０と、記憶部３０と、制御部４０とを備える。
【００３１】
無線部１１は、電子メールを含む各種データの送受信を行う。操作部１２は、ユーザからの各種の入力操作を受け付ける。操作部１２は、例えば、テンキーや操作キー、回転セレクタ、カーソル、十字キー、設定キー、完了キー、クリアキー、電源キーなどを含む。また、携帯端末装置１が折り畳み式の携帯電話である場合、操作部１２は、携帯端末装置１の閉状態から開状態となったことを検出する。
【００３２】
カメラ１３は、人物や風景等の被写体を撮像する撮像部である。マイク１４は、音声通信時等にユーザの声等を集音する集音部である。スピーカ１５は、例えば、着信があった場合や電子メールを受信した場合に、呼び出し音を出力する音声出力部である。ＬＣＤ１６は、文字や画像などを表示する表示部である。なお、表示部は、必ずしもＬＣＤである必要はなく、例えば、有機ＥＬディスプレイや電子ペーパディスプレイ等であってもよい。
【００３３】
入出力制御ＩＦ部２０は、無線部１１、操作部１２、カメラ１３、マイク１４、スピーカ１５、ＬＣＤ１６と制御部４０との間での各種情報のやり取りを制御するインタフェース部である。記憶部３０は、制御部４０による各種処理の実行に必要なデータやプログラム等を格納する。特に、本実施例と密接に関連するものとして、記憶部３０は、条件記憶部３０１と、設定情報記憶部３０２と、画像データ記憶部３０３とを備える。
【００３４】
条件記憶部３０１は、電子メールのヘッダ部の所定の項目または該項目の値として、送信元アドレスの値とタイトルの値との組合せを記憶する。例えば、条件記憶部３０１は、送信元アドレスの値「syasintate@xxx.co.jp」とタイトルの値「写真立てサービス」との組合せを記憶する。設定情報記憶部３０２は、携帯端末装置１に関する各種の設定情報を記憶する。特に、本実施例にかかる設定情報記憶部３０２は、本実施例にかかる待受画像切替方法を実行する「待受画像自動切替機能」が有効であるか否か、及び、待受画像として設定されている画像データを特定するための情報として画像データのファイル名を記憶する。なお、待受画像として設定されている画像データを特定するための情報は、必ずしも画像データのファイル名である必要はなく、例えば、画像データの表示名（タイトル）等であってもよい。
【００３５】
画像データ記憶部３０３は、各種の画像データを記憶する。特に、画像データ記憶部３０３は、待受画像切替条件に一致する電子メールに添付された画像データを記憶する待受画像自動切替専用フォルダ３０４を有する。
【００３６】
制御部４０は、携帯端末装置１を制御する制御部である。特に、本実施例と密接に関連するものとして、制御部４０は、設定処理部４０１と、条件判定部４０２と、画像データ記憶処理部４０３と、待受画像設定部４０４と、表示処理部４０５とを備える。
【００３７】
設定処理部４０１は、入出力制御ＩＦ部２０を介して操作部１２から取得したユーザからの入力操作に基づき、携帯端末装置１の各種設定を行う。例えば、設定処理部４０１は、待受画像自動切替機能を有効にする操作を取得した場合、待受画像自動切替機能が有効であることを設定情報記憶部３０２に記憶する。また、設定処理部４０１は、待受画像切替条件の登録操作を取得した場合、該登録操作に基づく待受画像切替条件を条件記憶部３０１に記憶する。
【００３８】
ここで、ユーザにより行われる待受画像切替条件の登録操作の一例について説明する。図４−１〜図４−５は、ユーザが待受画像切替条件の登録を行う場合に、ＬＣＤ１６に表示される各種画面の一例を示す図である。具体的には、図４−１は条件設定画面の一例を示す図、図４−２は送信元アドレスを設定する場合に表示される画面の一例を示す図、図４−３は、タイトルを設定する場合に表示される画面の一例を示す図である。また、図４−４は、送信元アドレスおよびタイトルの設定後に表示される画面の一例を示す図、図４−５は、待受画像切替条件の設定が完了した場合に表示される画面の一例を示す図である。
【００３９】
待受画像切替条件を設定する場合、ユーザは、図４−１に示す条件設定画面において、メールアドレス（送信元アドレスの値）と題名（タイトルの値）の登録を行う。かかる条件設定画面において、ユーザがメールアドレスの欄を選択すると、ＬＣＤ１６には、図４−２に示す送信元アドレスの登録画面が表示される。そして、ユーザは、図４−２に示す画面において、送信元アドレスを決定する。例えば、ユーザは、携帯端末装置１に記憶されたメールアドレスの中から送信元アドレスを選択してもよいし、操作部１２を用いて送信元アドレスを直接入力してもよい。また、ユーザは、送信元アドレスの設定を行わなくてもよい。かかる場合には、待受画像切替条件として全てのメールアドレスが含まれる。
【００４０】
また、図４−１に示す条件設定画面において、ユーザがタイトルの欄を選択すると、ＬＣＤ１６には、図４−３に示すタイトルの登録画面が表示される。そして、ユーザは、図４−３に示す画面において、操作部１２を用いてタイトルを入力する。これらの操作が完了すると、条件設定画面には、図４−４に示すように登録内容が表示され、ユーザにより完了キーが押下されることにより、図４−５に示すように待受画像切替条件の登録操作が完了した旨が表示される。
【００４１】
そして、待受画像切替条件の登録操作が完了すると、設定処理部４０１は、登録内容を条件記憶部３０１に記憶する。この例では、登録内容として、送信元アドレスの値「syasintate@xxx.co.jp」とタイトルの値「写真立てサービス」との組合せが条件記憶部３０１に記憶される。
【００４２】
条件判定部４０２は、画像データが添付された電子メールが受信された場合に、該電子メールの送信元アドレスの値とタイトルの値との組合せが、条件記憶部３０１に記憶された送信元アドレスの値とタイトルの値と組合せと一致するか否かを判定する。例えば、条件記憶部３０１に送信元アドレス「syasintate@xxx.co.jp」とタイトル「写真立てサービス」との組合せが待受画像切替条件として記憶されているとする。かかる場合、条件判定部４０２は、受信した電子メールの送信元アドレスの値とタイトルの値との組合せが、「syasintate@xxx.co.jp」および「写真立てサービス」であるか否かを判定する。
【００４３】
画像データ記憶処理部４０３は、受信した電子メールの送信元アドレスの値とタイトルの値との組合せが、条件記憶部３０１に記憶された送信元アドレスの値とタイトルの値と組合せと一致すると判定された場合、該電子メールに添付された画像データを待受画像自動切替専用フォルダ３０４に記憶する。
【００４４】
待受画像設定部４０４は、画像データ記憶処理部４０３により待受画像自動切替専用フォルダ３０４に記憶された画像データを待受画像として設定する。具体的には、待受画像設定部４０４は、該画像データのファイル名を待受画像として設定された画像データのファイル名として設定情報記憶部３０２に登録する。なお、かかる待受画像設定処理は、画像データ記憶処理部４０３により画像データが待受画像自動切替専用フォルダ３０４に記憶される毎に行われる。すなわち、本実施例では、待受画像自動切替専用フォルダ３０４に記憶された画像データのうち、保存日時が最も新しい画像データが待受画像として設定される。そして、本実施例では、画像データ記憶処理部４０３により画像データが新たに記憶される毎に、待受画像として設定される画像データが、現在設定されている画像データから新たに待受画像自動切替専用フォルダ３０４に記憶された画像データに切り替わる。
【００４５】
表示処理部４０５は、待受画面が表示される操作を操作部１２から入出力制御ＩＦ部２０を介して取得した場合、待受画像として設定されている画像データをＬＣＤ１６に表示する。具体的には、表示処理部４０５は、待受画面が表示される操作を取得すると、設定情報記憶部３０２を参照して待受画像として設定されている画像データのファイル名を特定する。そして、表示処理部４０５は、特定したファイル名と一致する画像データを待受画像自動切替専用フォルダ３０４の中から選択し、該画像データを待受画像としてＬＣＤ１６に表示する。
【００４６】
なお、待受画面が表示される操作には、例えば、携帯端末装置１が折り畳み式の携帯電話である場合における携帯端末装置１を閉状態から開状態とする操作や、クリアキーや電源キーといった操作部１２への操作が含まれる。
【００４７】
続いて、本実施例にかかる携帯端末装置１の具体的動作について説明する。図５は、実施例２にかかる制御部の処理手順を示すフローチャートである。なお、以下においては、制御部４０が実行する処理手順のうち、電子メールに添付された画像データを待受画像に自動設定する待受画像切替処理に関する処理手順のみを示している。
【００４８】
図５に示すように、携帯端末装置１の制御部４０は、無線部１１において電子メールを受信したか否かを判定する（ステップＳ２０１）。かかる処理において、電子メールを受信したと判定すると（ステップＳ２０１肯定）、条件判定部４０２は、受信した電子メールに画像データが添付されているか否かを判定する（ステップＳ２０２）。かかる処理において、受信した電子メールに画像データが添付されていると判定した場合（ステップＳ２０２肯定）、制御部４０は、処理をステップＳ２０３へ移行する。
【００４９】
ステップＳ２０３において、条件判定部４０２は、受信した電子メールについて、送信元アドレスの値とタイトルの値との組合せが条件記憶部３０１に記憶されているか否かを判定する。すなわち、条件判定部４０２は、受信した電子メールの送信元アドレスの値とタイトルの値との組合せが条件記憶部３０１に記憶された送信元アドレスの値とタイトルの値との組合せと一致するか否かを判定する。
【００５０】
かかる処理において、送信元アドレスの値とタイトルの値との組合せが条件記憶部３０１に記憶されていると判定すると（ステップＳ２０３肯定）、画像データ記憶処理部４０３は、受信した電子メールに添付された画像データを待受画像自動切替専用フォルダ３０４に保存する（ステップＳ２０４）。
【００５１】
そして、待受画像設定部４０４は、画像データ記憶部３０３に保存された画像データを待受画像として設定情報記憶部３０２に登録する（ステップＳ２０５）。具体的には、待受画像設定部４０４は、画像データ記憶部３０３に保存された画像データのうち、保存日時が最新の画像データを待受画像として設定する。ステップＳ２０５の処理を終えた場合、受信した電子メールに画像データが添付されていない場合（ステップＳ２０２否定）、送信元アドレスとタイトルとの組合せが条件記憶部３０１に記憶されていない場合（ステップＳ２０３否定）、制御部４０は、処理をステップＳ２０１へ移行する。
【００５２】
一方、ステップＳ２０１において電子メールを受信していない場合（ステップＳ２０１否定）、制御部４０は、待受画面が表示される操作が行われたか否かを判定する（ステップＳ２０６）。かかる処理において、待受画面が表示される操作が行われたと判定すると（ステップＳ２０６肯定）、表示処理部４０５は、設定情報記憶部３０２に記憶された登録情報を参照して、待受画像として設定されている画像データを画像データ記憶部３０３から選択する（ステップＳ２０７）。
【００５３】
そして、表示処理部４０５は、選択した画像データを待受画像としてＬＣＤ１６に表示する（ステップＳ２０８）。これにより、待受画像切替条件と合致する電子メールに添付された画像データが待受画像としてＬＣＤ１６に表示される。ステップＳ２０８の処理を終えた場合、または、ステップＳ２０６において待受画面が表示される操作が行われていない場合（ステップＳ２０６否定）、制御部４０は、処理をステップＳ２０１へ移行する。
【００５４】
上述してきたように、本実施例では、条件記憶部３０１に記憶された待受画像切替に合致する電子メールを受信した場合に、該電子メールに添付された画像データの保存および待受画像への設定を自動的に行う。これにより、携帯端末装置１のユーザは、電子メールの選択、該電子メールに添付された画像データの保存および画像データの待受画像への設定といった複数の操作を行うことなく、電子メールに添付された画像データを待受画像として設定することができる。すなわち、本実施例によれば、電子メールに添付された画像データを待受画像に設定する場合において、設定操作に要するユーザの労力を軽減することができる。
【実施例３】
【００５５】
実施例２では、携帯端末装置１の開閉操作など待受画面が表示される操作が行われた場合、待受画像自動切替専用フォルダ３０４に記憶された画像データのうち保存日時が最新の画像データが表示されることとした。ここで、待受画像の表示機能の一つに、待受画面が表示される操作が行われる毎に、待受画像として表示される画像データがランダムに切り替わる機能が知られている。ところが、かかる機能を利用する場合、ユーザは、ランダム表示させたい画像データを特定のフォルダに移動させる必要があり、操作が煩雑であった。
【００５６】
そこで、実施例３では、待受画像自動切替専用フォルダ３０４に記憶された複数の画像データを用いて、待受画像をランダムに切り替える場合について説明する。図６は、実施例３にかかる携帯端末装置の構成を示すブロック図である。なお、既に説明した構成と同じものについては同一の符号を付し、その説明を省略する。
【００５７】
図６に示すように、本実施例にかかる携帯端末装置１'において、表示処理部４０５'は、待受画面が表示される操作を操作部１２から入出力制御ＩＦ部２０を介して取得した場合、先ず、待受画面が表示される操作を取得した旨を待受画像設定部４０４'に通知する。続いて、表示処理部４０５'は、後述する待受画像設定部４０４'により待受画像として新たに設定された画像データのファイル名を設定情報記憶部３０２を参照して特定する。そして、表示処理部４０５'は、特定したファイル名と一致する画像データを待受画像自動切替専用フォルダ３０４の中から選択し、該画像データを待受画像としてＬＣＤ１６に表示する。
【００５８】
待受画像設定部４０４'は、待受画面が表示される操作を表示処理部４０５'から取得すると、待受画像自動切替専用フォルダ３０４に記憶された画像データの中から１つの画像データをランダムに選択する。そして、待受画像設定部４０４'は、待受画像として現在設定されている画像データに代えて、選択した画像データを新たな待受画像として設定する。具体的には、待受画像設定部４０４'は、待受画像として現在設定情報記憶部３０２に記憶されている画像データのファイル名を、選択した画像データのファイル名と置き換える。
【００５９】
ここで、例えば、ある電子メールに添付された画像データが待受画像として設定された後、待受画面が表示される操作が行われる前に、他の電子メールが受信されて、該他の電子メールに添付された画像データが新たな待受画像として設定されたとする。かかる場合、最初に受信した電子メールに添付された画像データが待受画像として使用される前に、新たに受信した電子メールに添付された画像データが待受画像として使用されることとなる。そこで、本実施例では、待受画像として使用される画像データを切り替える場合、切り替え前の画像データが待受画像として１回以上使用されたか否かを判定し、１回以上使用されていると判定した場合に、待受画像として使用される画像データの切り替えを行う。
【００６０】
具体的には、本実施例にかかる設定情報記憶部３０２は、待受画像として設定された画像データのファイル名を、該画像データが待受画像として１回以上使用されたか否かを示す使用情報と関連付けて記憶する。また、待受画像設定部４０４'は、画像データを切り替える場合、設定情報記憶部３０２を参照して、待受画像として現在設定されている画像データが待受画像として１回以上使用されたことを、該画像データに関連付けられた使用情報が示しているか否かを判定する。そして、待受画像として現在設定されている画像データが待受画像として１回以上使用されたことを使用情報が示していると判定した場合、待受画像設定部４０４'は、待受画像として現在設定されている画像データを他の画像データに切り替える。これにより、待受画像として現在設定されている画像データが待受画面として使用される前に、待受画像切替条件に合致する他の電子メールを受信した場合であっても、現在設定されている画像データを待受画像として表示させることができる。
【００６１】
次に、本実施例にかかる携帯端末装置１'の具体的動作について説明する。図７は、実施例３にかかる制御部の処理手順を示すフローチャートである。ここで、図７に示すステップＳ３０１〜Ｓ３０６までの処理は、図５に示すステップＳ２０１〜Ｓ２０６までの処理と同様であり、その説明を省略する。
【００６２】
図７に示すように、ステップＳ３０６において、待受画面が表示される操作が行われたと判定すると（ステップＳ３０６肯定）、待受画像設定部４０４'は、待受画像として現在設定されている画像データが待受画像として１回以上使用されているか否かを判定する（ステップＳ３０７）。具体的には、待受画像設定部４０４'は、設定情報記憶部３０２を参照して、待受画像として現在設定されている画像データが待受画像として１回以上使用されたことを、該画像データに関連付けられた使用情報が示しているか否かを判定する。
【００６３】
かかる処理において、待受画像として現在設定されている画像データが待受画像として１回も使用されていない場合（ステップＳ３０７否定）、制御部４０は、図５に示すステップＳ２０７，Ｓ２０８と同様の処理を実行する。すなわち、表示処理部４０５'は、設定情報記憶部３０２に記憶された登録情報を参照して、待受画像として設定されている画像データを画像データ記憶部３０３から選択する（ステップＳ３０８）。そして、表示処理部４０５'は、選択した画像データを待受画像としてＬＣＤ１６に表示する（ステップＳ３０９）。これにより、待受画像として１回も使用されていない画像データが、待受画像としてＬＣＤ１６に表示される。
【００６４】
なお、ステップＳ３０９の処理が実行された場合、待受画像設定部４０４'は、設定情報記憶部３０２に記憶された使用情報の更新を行う。すなわち、待受画像設定部４０４'は、待受画像として１回も使用されていない画像データが待受画像として使用された場合、該画像データが待受画像として１回以上使用されたことを示す情報を該画像データの使用情報として設定情報記憶部３０２に記憶する。
【００６５】
一方、ステップＳ３０７において、待受画像として現在設定されている画像データが待受画像として１回以上使用されていると判定した場合（ステップＳ３０７肯定）、制御部４０は、処理をステップＳ３１０へ移行する。
【００６６】
ステップＳ３１０において、待受画像設定部４０４'は、待受画像自動切替専用フォルダ３０４に記憶された他の画像データを待受画像として設定情報記憶部３０２に登録する。具体的には、待受画像設定部４０４'は、待受画像自動切替専用フォルダ３０４に記憶された画像データの中から１つの画像データをランダムに選択する。そして、待受画像設定部４０４'は、待受画像として設定情報記憶部３０２に現在記憶されている画像データのファイル名を、選択した画像データのファイル名と置き換える。
【００６７】
続いて、表示処理部４０５'は、設定情報記憶部３０２に記憶された登録情報を参照して、待受画像として設定されている画像データを画像データ記憶部３０３から選択する（ステップＳ３１１）。そして、表示処理部４０５'は、選択した画像データを待受画像としてＬＣＤ１６に表示する（ステップＳ３１２）。これにより、待受画面が表示される操作に応じてランダムに選択された画像データが待受画像としてＬＣＤ１６に表示される。
【００６８】
ステップＳ３０５，Ｓ３０９，Ｓ３１２の処理を終えたとき、または、ステップＳ３０６において待受画面が表示される操作がなされていないとき（ステップＳ３０６否定）、制御部４０は、処理をステップＳ３０１へ移行する。
【００６９】
上述してきたように、本実施例において、待受画像設定部４０４'は、待受画像自動切替専用フォルダ３０４に複数の画像データが記憶されている場合、待受画面が表示される操作が行われる毎に、待受画像として現在設定されている画像データに代えて、待受画像自動切替専用フォルダ３０４に記憶された他の画像データを待受画像として設定する。これにより、ユーザは、待受画像切替条件に合致する電子メールに添付された画像データを、特定のフォルダに移動させるといった煩雑な操作を行うことなく、ランダム表示用の画像データとして保存することができる。
【実施例４】
【００７０】
ところで、電子メールには、例えば、電子メールの本文中に挿入されるデコレーションメール用の絵文字などの画像データのように、待受画像用として添付された画像データ以外の画像データが添付されている場合もある。そのため、待受画像自動切替専用フォルダ３０４には、サイズの小さい画像データなど待受画像として適さない画像データが保存されるおそれがある。そこで、実施例４では、電子メールに添付された画像データの画像サイズを判定し、所定のサイズ以上である場合にのみ、該画像データを保存することとした。図８は、実施例４にかかる携帯端末装置の構成を示すブロック図である。
【００７１】
図８に示すように、本実施例にかかる携帯端末装置１''において、制御部４０は、設定処理部４０１，条件判定部４０２，画像データ記憶処理部４０３'，待受画像設定部４０４'、表示処理部４０５'に加え、新たに画像サイズ判定部４０６を有する。
【００７２】
画像サイズ判定部４０６は、電子メールに添付された画像データの画像サイズが、所定のサイズ以上であるか否かを判定する。例えば、画像サイズ判定部４０６は、電子メールに添付された画像データの画像サイズが、ＬＣＤ１６のサイズに対して１／２以上のサイズを有するか否かを判定する。
【００７３】
そして、画像データ記憶処理部４０３'は、電子メールに添付された画像データの画像サイズが、所定のサイズ以上であると画像サイズ判定部４０６により判定された場合に、該画像データを所定の記憶領域に記憶する。
【００７４】
次に、本実施例にかかる携帯端末装置１''の具体的動作について説明する。図９は、実施例４にかかる制御部の処理手順を示すフローチャートである。なお、図９に示すステップＳ４０１〜Ｓ４０３までの処理は、図５に示すステップＳ２０１〜Ｓ２０３までの処理と同様であり、その説明を省略する。
【００７５】
図９に示すように、ステップＳ４０３において送信元アドレスの値とタイトルの値との組合せが条件記憶部３０１に記憶されていると判定すると（ステップＳ４０３肯定）、制御部４０は、処理をステップＳ４０４へ移行する。そして、ステップＳ４０４において、画像サイズ判定部４０６は、受信した電子メールに添付された画像データの画像サイズが所定のサイズ以上であるか否かを判定する（ステップＳ４０４）。
【００７６】
かかる処理において、受信した電子メールに添付された画像データの画像サイズが所定のサイズ以上であると判定した場合（ステップＳ４０４肯定）、画像データ記憶処理部４０３'は、受信した電子メールに添付された画像データを待受画像自動切替専用フォルダ３０４に保存する（ステップＳ４０５）。そして、待受画像設定部４０４'は、画像データ記憶部３０３に保存された画像データを待受画像として設定情報記憶部３０２に登録する（ステップＳ４０６）。
【００７７】
ステップＳ４０６の処理を終えたとき、受信した電子メールに画像データが添付されていない場合（ステップＳ４０２否定）、送信元アドレスとタイトルとの組合せが条件記憶部３０１に記憶されていない場合（ステップＳ４０３否定）、受信した電子メールに添付された画像データの画像サイズが所定のサイズ以上でない場合（ステップＳ４０４否定）、制御部４０は、処理をステップＳ４０１へ移行する。なお、図９におけるステップＳ４０７〜Ｓ４１３の処理は、図７におけるステップＳ３０６〜Ｓ３１２の処理と同様であり、その説明を省略する。
【００７８】
上述してきたように、本実施例では、電子メールに添付された画像データの画像サイズを判定し、所定のサイズ以上である場合にのみ、該画像データを保存することとした。これにより、待受画像自動切替専用フォルダ３０４に待受画像として適さない画像データが保存されることを防止できる。
【００７９】
ところで、実施例２における携帯端末装置１の機能をソフトウェアとして実装し、該ソフトウェアを携帯端末装置で実行することにより、携帯端末装置１と同等の機能を実現することもできる。以下に、携帯端末装置１の機能をソフトウェアとして実装した待受画像切替プログラムを実行する携帯端末装置の一例を示す。図１０は、待受画像切替プログラムを実行する携帯端末装置を示すブロック図である。
【００８０】
図１０に示すように、携帯端末装置６００は、無線部６１０、操作部６２０、カメラ６３０、マイク６４０、スピーカ６５０、ＬＣＤ６６０とを備える。これらは、図３に示す無線部１１、操作部１２、カメラ１３、マイク１４、スピーカ１５、ＬＣＤ１６に対応する。また、携帯端末装置６００は、各種演算処理を実行するＣＰＵ（Central Processing Unit）６７０と、各種情報を記憶する不揮発メモリ６８０及びＲＡＭ（Random Access Memory）６９０とを備える。また、携帯端末装置６００は、これらをバス７００により相互に接続する。
【００８１】
そして、不揮発メモリ６８０には、本実施例と同様の機能を発揮する待受画像切替プログラム、すなわち、条件判定プログラム６８１と、画像データ記憶処理プログラム６８２と、待受画像設定プログラム６８３とが記憶される。
【００８２】
そして、ＣＰＵ６７０が、条件判定プログラム６８１、画像データ記憶処理プログラム６８２、待受画像設定プログラム６８３を不揮発メモリ６８０から読み出してＲＡＭ６９０に展開することにより、各プログラム６８１〜６８３は、それぞれ条件判定プロセス６９１、画像データ記憶処理プロセス６９２、待受画像設定プロセス６９３として機能する。このように、ＣＰＵ６７０は、図３に示す制御部４０に相当する。
【００８３】
また、不揮発メモリ６８０は、条件記憶部６８４、設定情報記憶部６８５および画像データ記憶部６８６を有する。ＣＰＵ６７０は、これらの記憶部６８４〜６８６に記憶された情報を読み出して、ＲＡＭ６９０に格納し、プロセス６９１〜６９３が、ＲＡＭ６９０に格納されたデータを利用して各種処理を実行する。
【符号の説明】
【００８４】
１，１'，１''  携帯端末装置
１１  無線部
１２  操作部
１３  カメラ
１４  マイク
１５  スピーカ
１６  ＬＣＤ
２０  入出力制御ＩＦ部
３０  記憶部
４０  制御部
３０１  条件記憶部
３０２  設定情報記憶部
３０３  画像データ記憶部
３０４  待受画像自動切替専用フォルダ
４０１  設定処理部
４０２  条件判定部
４０３，４０３'  画像データ記憶処理部
４０４，４０４'  待受画像設定部
４０５，４０５'  表示処理部
４０６  画像サイズ判定部
【図１】
2010283470.tif 000003
【図２】
2010283470.tif 000004
【図３】
2010283470.tif 000005
【図４−１】
2010283470.tif 000006
【図４−２】
2010283470.tif 000007
【図４−３】
2010283470.tif 000008
【図４−４】
2010283470.tif 000009
【図４−５】
2010283470.tif 000010
【図５】
2010283470.tif 000011
【図６】
2010283470.tif 000012
【図７】
2010283470.tif 000013
【図８】
2010283470.tif 000014
【図９】
2010283470.tif 000015
【図１０】
2010283470.tif 000016